(57)【要約】【課題】遊技機内部で発生する熱を確実に放出できる遊技機を提供すること。【解決手段】遊技機１は、遊技に必要な図柄列を変動表示するリールユニット７３と、遊技者が操作可能な停止ボタンと、遊技者による停止ボタンの操作に基づいてリールユニット７３を制御する主制御ユニット７１と、これらが設けられた筐体４と、を備える。筐体４は、キャビネット６０と、このキャビネット６０を開閉する前面ドア２と、を備え、前面ドア２の上面２ｃには、放熱孔６１が形成されている。【選択図】図２
2007229405.tif 000002
【特許請求の範囲】
【請求項１】
遊技に必要な識別情報を変動表示する変動表示手段と、
遊技者が操作可能な操作手段と、
遊技者による前記操作手段の操作に基づいて前記変動表示手段を制御する主制御手段と、
これら手段が設けられた筐体と、を備える遊技機であって、
前記筐体は、キャビネットと、このキャビネットを開閉する前面ドアと、を備え、
前記前面ドアの上部には、放熱孔が形成されていることを特徴とする遊技機。
【請求項２】
請求項１に記載の遊技機において、
前記筐体には、前記放熱孔を通して異物が侵入するのを防止する侵入防止手段が設けられ、
前記侵入防止手段は、前記放熱孔に一端側が接続される通気孔を有する侵入防止部本体と、当該侵入防止部本体に形成されて前記通気孔の一部を塞ぐ複数の壁部と、を備え、
前記複数の壁部は、前記通気孔を一端側から視た場合に、当該通気孔を通して他端側を視認できないように、互いに重なり合って配置されることを特徴とする遊技機。
【請求項３】
請求項２に記載の遊技機において、
前記複数の壁部は、前記放熱孔側に傾斜して形成されることを特徴とする遊技機。
【請求項４】
請求項２又は３に記載の遊技機において、
前記侵入防止部本体は、前記筐体内の熱源を覆う傘部を備え、
前記通気孔の他端側は、前記傘部内側の空間に連通することを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、且つその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
以上の遊技機は、例えば、リールを回転させる駆動装置や制御基板などの機器が収容された箱状のキャビネットと、このキャビネットを開閉する前面ドアとを備えている。
この遊技機は、遊技場において、互いに背中合わせに２列設置されて島設備を形成する。
【０００６】
ところで、遊技機を作動させることにより、遊技機内部の駆動装置や制御基板から発熱するため、遊技機の背面側、すなわちキャビネットに通気孔を設け、この通気孔を通して放熱する構成が提案されている（特許文献１参照）。
遊技機を島設備に配置すると、遊技機の背面同士の隙間が形成されるとともに、遊技機の上に空間が形成されるが、この特許文献１によれば、遊技機の背面同士で形成される隙間に通気孔が面しているので、この隙間に遊技機内部の熱を含む暖かい空気が排出されて、この暖かい空気が上方に対流していく。また、このとき、通気孔の位置が遊技者から視認されないので、遊技機の外観を損なわない。
【特許文献１】特開２００４−３４４６３３号公報
【発明の開示】
【発明が解決しようとする課題】
【０００７】
しかしながら、上述のように、遊技機の背面により隙間が形成されても、この隙間は狭いため、遊技機から排出された熱がこの隙間にこもって温度が上昇し、遊技機内部で発生する熱を効果的に排出できない場合があった。
【０００８】
本発明の目的は、遊技機内部で発生する熱を効果的に排出できる遊技機を提供することである。
【課題を解決するための手段】
【０００９】
本発明では、以下のようなものを提供する。
【００１０】
（１）  遊技に必要な識別情報（例えば、後述の図柄列）を変動表示する変動表示手段（例えば、後述のリールユニット７３）と、遊技者が操作可能な操作手段（例えば、後述の停止ボタン７Ｌ，７Ｃ，７Ｒ）と、遊技者による前記操作手段の操作に基づいて前記変動表示手段を制御する主制御手段（例えば、後述の主制御ユニット７１）と、これら手段が設けられた筐体（例えば、後述の筐体４）と、を備える遊技機であって、前記筐体は、キャビネット（例えば、後述のキャビネット６０）と、このキャビネットを開閉する前面ドア（例えば、後述の前面ドア２）と、を備え、前記前面ドアの上部（例えば、後述の上面２ｃ）には、放熱孔（例えば、後述の放熱孔６１）が形成されていることを特徴とする遊技機。
【００１１】
（１）記載の遊技機によれば、露出する前面ドアの上部に放熱孔を設けたので、遊技機を島に設置しても、暖かい空気が上方に向かうことを利用して、遊技機内部で発生する熱を遊技機の上方及び遊技者側に効果的に排出することが期待される。
【００１２】
（２）  （１）に記載の遊技機において、前記筐体には、前記放熱孔を通して異物が侵入するのを防止する侵入防止手段（例えば、後述の侵入防止部６２，６２Ａ）が設けられ、前記侵入防止手段は、前記放熱孔に一端側が接続される通気孔（例えば、後述の通気孔６３１）を有する侵入防止部本体（例えば、後述の侵入防止部本体６３）と、当該侵入防止部本体に形成されて前記通気孔の一部を塞ぐ複数の壁部（例えば、後述の第１〜第４の壁部６５３，６５３Ａ，６５４，６５４Ａ，６６４，６６４Ａ，６６５）と、を備え、前記複数の壁部は、前記通気孔を一端側から視た場合に、当該通気孔を通して他端側を視認できないように、互いに重なり合って配置されることを特徴とする遊技機。
【００１３】
（２）記載の遊技機によれば、放熱孔を通して異物が侵入するのを防止する侵入防止手段を設け、この侵入防止手段の複数の壁部を、通気孔を一端側から視た場合に、通気孔を通して他端側を視認できないように、互いに重なり合って配置した。よって、遊技機内部から放熱孔に至る通気孔は、蛇行することになる。その結果、例えば、不正行為を目的として、放熱孔から異物が挿入されても、侵入防止手段を構成する壁部が障害となって、侵入させづらくできるとともに、仮に遊技機内部まで侵入されたとしても、異物を引き抜くことが非常に困難となる。よって、不正行為を抑制する効果が期待される。
【００１４】
（３）  （２）に記載の遊技機において、前記複数の壁部は、前記放熱孔側に傾斜して形成されることを特徴とする遊技機。
【００１５】
（３）記載の遊技機によれば、複数の壁部を放熱孔側に傾斜して形成したので、熱を含む空気が上方に向かう性質を利用できるとともに、例えば、不正行為を目的として、放熱孔から異物が挿入されても、この異物をより侵入させづらくできる。
【００１６】
（４）  （２）又は（３）に記載の遊技機において、前記侵入防止部本体は、前記筐体内の熱源を覆う傘部（例えば、後述の傘部６８）を備え、前記通気孔の他端側は、前記傘部内側の空間に連通することを特徴とする遊技機。
【００１７】
（４）記載の遊技機によれば、傘部を設けたので、例えば、傘部で筐体内の基板類を覆うことで、基板類から発生した熱を含む空気を集めて、通気孔の他端側に導くことができる。よって、熱源で発生した熱をより確実に放熱できるうえに、筐体内部の熱を効率よく集めて放熱できる。
【発明の効果】
【００１８】
本発明の遊技機によれば、露出する前面ドアの上部に放熱孔を設けたので、遊技機を島に設置しても、暖かい空気が上方に向かうことを利用して、遊技機内部で発生する熱を遊技機の上方及び遊技者側に効果的に排出することが期待される。
【発明を実施するための最良の形態】
【００１９】
以下、実施例の遊技機について説明する。
【実施例１】
【００２０】
図１は、本発明の第１実施例の遊技機１の外観を示す斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００２１】
遊技機１の全体を形成している筐体４は、箱状のキャビネット６０と、このキャビネット６０を開閉する前面ドア２と、を備える。この前面ドア２の正面中央には、略垂直面としての縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２２】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２３】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２４】
前面ドア２の裏面には、複数のリール３Ｌ，３Ｃ，３Ｒと、これらリール３Ｌ，３Ｃ，３Ｒを回転駆動するステッピングモータと、を収容するリールユニット７３がミドルドア４０を介して取り付けられている（図２）。なお、前面ドア２の裏面については、後に図２を参照して詳述する。
【００２５】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２６】
表示窓４Ｌ，４Ｃ，４Ｒの上方には、液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数などを表示する。また、スピーカ９Ｌ，９Ｒは、効果音や音声等の音による演出を行う。
【００２７】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２８】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２９】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００３０】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３１】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００３２】
台座部１０の前面部の略中央には、３個のリール３Ｌ，３Ｃ，３Ｒの回転をそれぞれ停止させるための３個の操作手段としての停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００３３】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３４】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００３５】
図２及び図３を参照して、前面ドア２の裏面の構成について説明する。
図２は、前面ドア２の裏面の構成を示す斜視図である。図３は、前面ドア２を上方から視た図である。
【００３６】
前面ドア２は、この前面ドア２の本体を形成する前面ドア本体２ｂと、この前面ドア本体２ｂの裏面に開閉自在に設けられたミドルドア４０と、を備える。
【００３７】
前面ドア本体２ｂには、サブベース４２を介して副制御ユニット７２が設けられ、ミドルドア４０には、主制御手段としての主制御ユニット７１及び変動表示手段としてのリールユニット７３が設けられる。
【００３８】
サブベース４２は、板状の部材であり、前面ドア２の前面に設けられた液晶表示部５ａを覆うようにして、前面ドア本体２ｂの裏面に、複数のねじ４２１で取り付けられる。サブベース４２は、前面ドア２の裏面に対し略平行に取り付けられる。また、サブベース４２の表面のうち、液晶表示部５ａを覆う領域は、略平らに形成されている。
【００３９】
副制御ユニット７２は、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１に接続される機器や基板を１箇所に集中させるＩ／Ｏ基板７２５と、を備える。
【００４０】
副制御回路７２１は、後述の主制御回路７１１から送信される信号に基づいて液晶表示部５ａを制御する電子回路である。
すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００４１】
ミドルドア４０は、略矩形状の部材であり、図２中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００４２】
主制御ユニットベース４０１は、主制御ユニット７１を水平に支持する主制御ユニット支持部４０８と、主制御ユニット支持部４０８の上端に形成された後述のＲＯＭカバー７２４を覆うプレート４０４と、を備える。
【００４３】
リールユニットベース４０２は、リールユニット７３を支持するリールユニット支持部４０９と、このリールユニット支持部４０９の図２中左側の端縁に設けられたミドルドア把持部４０７と、リールユニット支持部４０９のミドルドア把持部４０７の反対側の端縁（図２中右側の端縁）に設けられた回動軸部（図示省略）と、を備える。前面ドア本体２ｂの裏面には、ミドルドア４０の回動軸部を回転自在に支持する支持部４３が設けられ、これにより、ミドルドア４０を開閉可能となっている。
【００４４】
主制御ユニット７１は、副制御ユニット７２やリールユニット７３等を制御する主制御回路７１１と、この主制御回路７１１とリールユニット７３及び電源ユニット等とを電気的に接続する主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００４５】
前面ドア本体２ｂの上部としての上面２ｃには、放熱孔６１が形成されるとともに、この放熱孔６１を通して異物が侵入するのを防止する侵入防止手段としての侵入防止部６２が設けられている。
これら放熱孔６１及び侵入防止部６２は、副制御ユニット７２の真上に位置している。
放熱孔６１は、所定長さのスリット２ｄが複数連続して形成される。スリット２ｄは、異物が侵入できない程度にできるだけ小さな孔で複数設けられることが好ましい。
【００４６】
図４は、前面ドア２上端の部分拡大斜視図である。図５は、前面ドア２上端の部分拡大断面図である。
侵入防止部６２は、前面ドア２の上面２ｃの放熱孔６１に対応した位置に取り付けられている。
具体的には、前面ドア２の上面２ｃの裏面には、補強アングル２ｅが設けられ、侵入防止部６２は、この補強アングル２ｅにねじ止めされている。
【００４７】
なお、本実施例では、放熱孔６１及び侵入防止部６２を前面ドア２の上面２ｃに設けたが、これに限らず、前面ドア２の上部であればどの位置に設けてもよい。
【００４８】
侵入防止部６２は、放熱孔６１に一端側が接続される通気孔６３１を有する四角筒状の侵入防止部本体６３と、この侵入防止部本体６３に形成されて通気孔６３１の一部を塞ぐ複数の壁部６４と、を備える。
【００４９】
図６は、侵入防止部６２の分解斜視図である。図７は、侵入防止部６２を上方から視た図である。
侵入防止部６２は、具体的には、第１の部材６５と、第２の部材６６とが組み合わさって形成される。
第１の部材６５は、両端にねじ孔６５２が形成された背面板６５１と、この背面板６５１の下端に形成され第２の部材６６側に斜め上方に向かって延出する第１の壁部６５３と、背面板６５１の中間の高さに形成され第２の部材６６側に斜め上方に向かって延出する第２の壁部６５４と、を備える。
【００５０】
第２の部材６６は、正面板６６１と、この正面板６６１を挟んで設けられねじ孔６６３が形成された側面板６６２と、この正面板６６１の中間の高さに形成され第１の部材６５側に斜め上方に向かって延出する第３の壁部６６４と、正面板６６１の上端に形成され第１の部材６５側に斜め上方に向かって延出する第４の壁部６６５と、を備える。
これにより、４つの壁部６５３，６５４，６６４，６６５は、放熱孔６１側に傾斜して形成される。
【００５１】
第１の部材６５と第２の部材６６とを組み合わせると、第１の部材６５のねじ孔６５２と第２の部材６６のねじ孔６６３とが一致する。また、図５に示すように、第１の部材６５の第１の壁部６５３及び第２の壁部６５４の間に、第３の壁部６６４が位置し、第２の部材６６の第３の壁部６６４及び第４の壁部６６５の間に、第２の壁部６５４が位置する。
これにより、放熱孔６１側から遊技機１の内部側に向かって、第４の壁部６６５、第２の壁部６５４、第３の壁部６６４、第１の壁部６５３の順に配置される。また、４つの壁部６５３，６５４，６６４，６６５は、通気孔６３１の一端側から視た場合に、通気孔６３１の他端側を視認できないように、互いに重なり合って配置されている。
【００５２】
なお、本実施例では、侵入防止部６２を、第１の部材６５と第２の部材６６とを組み合わせて形成したが、これに限らず、一体に形成してもよい。
また、本実施例では、侵入防止部６２を前面ドア２とは別体としたが、これに限らず、侵入防止部を前面ドアに一体に形成してもよい。
【００５３】
本実施例によれば、遊技機を島に設置しても、露出する前面ドア２の上面２ｃに放熱孔６１を設けたので、暖かい空気が上方に向かうことを利用して、遊技機１内部で発生する熱を遊技機１の上方及び遊技者側に効果的に排出できる。
【００５４】
また、スリット２ｄを異物が侵入できない程度にできるだけ小さな孔としかつ複数設けることで放熱孔６１を形成したので、異物の侵入を確実に防止できる。
【００５５】
また、放熱孔６１及び侵入防止部６２を、副制御ユニット７２の真上に配置したので、副制御ユニットで発生した熱を効率よく放熱できる。
【００５６】
また、放熱孔６１を通して異物が侵入するのを防止する侵入防止部６２を設け、この侵入防止部６２の４つの壁部６５３，６５４，６６４，６６５を、通気孔６３１を一端側から視た場合にこの通気孔６３１を通して他端側を視認できないように、互いに重なり合って配置した。よって、遊技機１内部から放熱孔６１に至る通気孔６３１は、蛇行することになる。その結果、例えば、不正行為を目的として、放熱孔６１から異物が挿入されても、侵入防止部６２を構成する壁部６５３，６５４，６６４，６６５が障害となって、侵入させづらくできるとともに、仮に遊技機１内部まで侵入されたとしても、異物を引き抜くことが非常に困難となる。よって、不正行為を抑制する効果がある。
【００５７】
また、４つの壁部６５３，６５４，６６４，６６５を放熱孔６１側に傾斜して形成したので、熱を含む空気が上方に向かう性質を利用できるとともに、例えば、不正行為を目的として、放熱孔６１から異物が挿入されても、この異物をより侵入させづらくできる。
【実施例２】
【００５８】
図８から図１１を参照して、実施例２の遊技機１Ａについて説明する。
なお、以下の実施形態の説明にあたって、同一構成要件については同一符号を付し、その説明を省略もしくは簡略化する。
【００５９】
図８は、前面ドア２Ａの裏面の構成を示す斜視図である。図９は、侵入防止部６２Ａの断面図である。
本実施例では、侵入防止部６２Ａの構成が、第１実施例と異なる。
すなわち、侵入防止部６２Ａは、第１の部材６５Ａと、第２の部材６６Ａとが組み合わさって形成される。
【００６０】
図１０は、侵入防止部６２Ａを構成する第１の部材６５Ａを前面ドア２Ａの裏面側から視た図である。
第１の部材６５Ａは、両端にねじ孔６５２が形成された背面板６５１と、この背面板６５１を挟んで設けられた側面板６５５と、背面板６５１の下端に形成され第２の部材６６Ａ側に斜め上方に向かって延出する第１の壁部６５３Ａと、背面板６５１の中間の高さに形成され第２の部材６６Ａ側に斜め上方に向かって延出する第２の壁部６５４Ａと、を備える。
【００６１】
第２の壁部６５４Ａは、図１０中左側から右側に向かうに従って下方に傾斜する。この第２の壁部６５４Ａの左側端部は、側面板６５５まで延出しているが、右側端部は、側面板６５５との間に隙間６５４Ｓを形成している。これにより、第２の壁部６５４Ａは、下方に位置する第３の壁部６６４Ａに向かって傾斜している。
【００６２】
第１の壁部６５３Ａは、図１０中左側から右側に向かうに従って下方に傾斜する。この第１の壁部６５３Ａの左側端部及び右側端部は、それぞれ、側面板６５５まで延出している。第１の壁部６５３Ａの右側端部でかつ背面板６５１側には、侵入防止部６２Ａの外部に連通する排水口６７が設けられている。この排水口６７には、排水ホース６７１が接続され、この排水ホース６７１は、前面ドア２Ａに固定されて、前面ドア２Ａの下端まで延びている（図８参照）。これにより、第１の壁部６５３Ａは、排水口６７に向かって傾斜している。
【００６３】
図１１は、侵入防止部６２Ａを構成する第２の部材６６Ａを前面ドア２Ａの正面側から視た図である。
第２の部材６６Ａは、正面板６６１と、この正面板６６１を挟んで設けられねじ孔６６３が形成された側面板６６２と、正面板６６１及び側面板６６２の下端に設けられた傘部６８と、正面板６６１の中間の高さに形成され第１の部材６５Ａ側に斜め上方に向かって延出する第３の壁部６６４Ａと、正面板６６１の上端に形成され第１の部材６５Ａ側に斜め上方に向かって延出する第４の壁部６６５と、を備える。
【００６４】
第３の壁部６６４Ａは、図１１中左側から右側に向かうに従って下方に傾斜する。この第３の壁部６６４Ａの左側端部は、側面板６６２との間に隙間を形成するが、この隙間は、第２の部材６６Ａと第１の部材６５Ａとを組み合わせた場合に、第１の部材６５Ａの側面板６５５により埋められる。一方、第３の壁部６６４Ａの右側端部は、側面板６５５との間に隙間６６４Ｓを形成し、この隙間６６４Ｓは、第２の部材６６Ａと第１の部材６５Ａとを組み合わせた場合でも、第１の部材６５Ａの側面板６５５により埋められることはない。これにより、第３の壁部６６４Ａは、下方に位置する第１の壁部６５３Ａに向かって傾斜している。
【００６５】
第１の部材６５Ａと第２の部材６６Ａとを組み合わせると、第１の部材６５Ａのねじ孔６５２と第２の部材６６Ａのねじ孔６６３とが一致する。また、図９に示すように、第１の部材６５Ａの第１の壁部６５３Ａ及び第２の壁部６５４Ａの間に、第３の壁部６６４Ａが位置し、第２の部材６６Ａの第３の壁部６６４Ａ及び第４の壁部６６５の間に、第２の壁部６５４Ａが位置する。
これにより、放熱孔６１側から遊技機１Ａの内部側に向かって、第４の壁部６６５、第２の壁部６５４Ａ、第３の壁部６６４Ａ、第１の壁部６５３Ａの順に配置される。また、４つの壁部６５３Ａ，６５４Ａ，６６４Ａ，６６５は、通気孔６３１の一端側から視た場合に、通気孔６３１の他端側を視認できないように、互いに重なり合って配置されている。
【００６６】
傘部６８は、筐体４内の熱源としての副制御ユニット７２を覆っており、通気孔６３１の他端側は、この傘部６８の内部空間に連通している。具体的には、傘部６８の下端の幅寸法は、副制御ユニット７２の幅寸法に略等しく、奥行き寸法は、副制御ユニット７２の厚み寸法に略等しくなっている。これにより、傘部６８は、副制御ユニット７２を上から覆っている。
【００６７】
以上の侵入防止部６２Ａでは、通気孔６３１から液体が侵入した場合、この液体は、以下のような経路で排出される。
すなわち、通気孔６３１から侵入した液体は、第２の壁部６５４Ａあるいは第３の壁部６６４Ａで受け止められる。
【００６８】
第２の壁部６５４Ａで受け止められた液体は、第２の壁部６５４Ａの傾斜に従い、隙間６５４Ｓに向かって流れて、この隙間６５４Ｓを通って、第３の壁部６６４Ａに落下する。このとき、第２の壁部６５４Ａは第２の部材６６Ａ側に斜め上方に向かって延出しているので、第２の壁部６５４Ａで受け止められた液体は、背面板６５１に沿って、隙間６５４Ｓまで案内される。
【００６９】
第３の壁部６６４Ａで受け止められた液体は、第３の壁部６６４Ａの傾斜に従い、隙間６６４Ｓに向かって流れて、この隙間６６４Ｓを通って、第１の壁部６５３Ａに落下する。このとき、第３の壁部６６４Ａは第１の部材６５Ａ側に斜め上方に向かって延出しているので、第３の壁部６６４Ａで受け止められた液体は、正面板６６１側に沿って、隙間６６４Ｓまで案内される。
【００７０】
第１の壁部６５３Ａで受け止められた液体は、第１の壁部６５３Ａの傾斜に従い、排水口６７に向かって流れ、排水ホース６７１を通って排出される。このとき、第１の壁部６５３Ａは第２の部材６６Ａ側に斜め上方に向かって延出しているので、第１の壁部６５３Ａで受け止められた液体は、背面板６５１に沿って案内される。
【００７１】
すなわち、本実施例の遊技機１Ａでは、侵入防止部本体６３には、排水口６７が設けられ、複数の壁部６５３Ａ，６５４Ａ，６６４Ａのうち最下端に位置する壁部６５３Ａは、排水口６７に向かって傾斜し、複数の壁部６５３Ａ，６５４Ａ，６６４Ａのうち最下端に位置する壁部６５３Ａを除いた壁部６５４Ａ，６６４Ａは、それぞれ、下方に位置する壁部６５３Ａに向かって傾斜している。
【００７２】
したがって、本実施例の遊技機１Ａによれば、実施例１に記載された遊技機１と同等の効果に加えて、以下の効果を奏することができる。
【００７３】
傘部６８で筐体４内の副制御ユニット７２を覆ったので、副制御ユニット７２から発生した熱を含む空気を集めて、通気孔６３１の他端側に導くことができる。よって、副制御ユニット７２で発生した熱をより確実に放熱できるうえに、筐体４内部の熱を効率よく集めて放熱できる。
【００７４】
排水口６７を設け、第２の壁部６５４Ａおよび第３の壁部６６４Ａを、それぞれ、下方に位置する第１の壁部６５３Ａに向かって傾斜させ、第１の壁部６５３Ａを、排水口６７に向かって傾斜させた。よって、放熱孔６１から液体が侵入しても、この侵入した液体を確実に排出できる。
【００７５】
以上、実施例について説明したが、本発明はこれに限られるものではない。
例えば、本実施例のような遊技機１の他、パチンコ遊技機、パチロット等の他の遊技機にも本発明を適用できる。
【図面の簡単な説明】
【００７６】
【図１】本発明の実施例１の遊技機の外観を示す斜視図である。
【図２】前記遊技機を構成する前面ドアの裏面の構成を示す斜視図である。
【図３】前記前面ドアを上方から視た図である。
【図４】前記前面ドア上端の部分拡大斜視図である。
【図５】前記前面ドア上端の部分拡大断面図である。
【図６】前記遊技機の侵入防止手段の分解斜視図である。
【図７】前記侵入防止手段を上方から視た図である。
【図８】本発明の実施例２の前面ドアの裏面の構成を示す斜視図である。
【図９】前記侵入防止手段の断面図である。
【図１０】侵入防止手段を構成する部材を前面ドアの裏面側から視た図である。
【図１１】侵入防止手段を構成する別の部材を前面ドアの正面側から視た図である。
【符号の説明】
【００７７】
１    遊技機
２    前面ドア
２ｃ    上面（上部）
４    筐体
７Ｌ，７Ｃ，７Ｒ    停止ボタン（操作手段）
６０    キャビネット
６１    放熱孔
６２，６２Ａ    侵入防止部（侵入防止手段）
６３    侵入防止部本体
７１    主制御ユニット（主制御手段）
７３    リールユニット（変動表示手段）
６５３，６５３Ａ    第１の壁部（壁部）
６５４，６５４Ａ    第２の壁部（壁部）
６６４，６６４Ａ    第３の壁部（壁部）
６６５    第４の壁部（壁部）
６３１    通気孔
【図１】
2007229405.tif 000003
【図２】
2007229405.tif 000004
【図３】
2007229405.tif 000005
【図４】
2007229405.tif 000006
【図５】
2007229405.tif 000007
【図６】
2007229405.tif 000008
【図７】
2007229405.tif 000009
【図８】
2007229405.tif 000010
【図９】
2007229405.tif 000011
【図１０】
2007229405.tif 000012
【図１１】
2007229405.tif 000013